【手続補正書】
【提出日】平成23年2月22日(2011.2.22)
【手続補正１】
【補正対象書類名】特許請求の範囲
【補正対象項目名】全文
【補正方法】変更
【補正の内容】
【特許請求の範囲】
【請求項１】
可撓性を有する第１の可撓性フィルムおよび第２の可撓性フィルムと、
前記第１の可撓性フィルムと前記第２の可撓性フィルムとの間に設けられた少なくとも１つの有機発光素子とを有し、
前記有機発光素子は、前記第１の可撓性フィルム側に位置する陽極と、前記第２の可撓性フィルム側に位置する陰極と、前記陽極と前記陰極との間に位置し、主として有機発光材料で構成された有機発光層を有する有機半導体層とを備え、前記陽極と前記陰極との間に電圧を印加することにより、前記有機発光層が発光するものであり、
前記陰極と前記第２の可撓性フィルムとが、接合膜を介して接合されており、
前記接合膜は、金属原子と、該金属原子と結合する酸素原子と、前記金属原子および前記酸素原子の少なくとも一方に結合する脱離基とを含み、
当該接合膜は、その少なくとも一部の領域にエネルギーを付与することにより、前記接合膜の表面付近に存在する前記脱離基が、前記金属原子および前記酸素原子の少なくとも一方から脱離し、前記接合膜の表面の前記領域に発現する接着性によって、前記陰極と前記第２の可撓性フィルムとを接合していることを特徴とする有機発光装置。
【請求項２】
可撓性を有する第１の可撓性フィルムおよび第２の可撓性フィルムと、
前記第１の可撓性フィルムと前記第２の可撓性フィルムとの間に設けられた少なくとも１つの有機発光素子とを有し、
前記有機発光素子は、前記第１の可撓性フィルム側に位置する陽極と、前記第２の可撓性フィルム側に位置する陰極と、前記陽極と前記陰極との間に位置し、主として有機発光材料で構成された有機発光層を有する有機半導体層とを備え、前記陽極と前記陰極との間に電圧を印加することにより、前記有機発光層が発光するものであり、
前記陰極は、導電性を有する接合膜で構成されており、
前記接合膜は、金属原子と、該金属原子と結合する酸素原子と、前記金属原子および前記酸素原子の少なくとも一方に結合する脱離基とを含み、
当該接合膜は、その少なくとも一部の領域にエネルギーを付与することにより、前記接合膜の表面付近に存在する前記脱離基が、前記金属原子および前記酸素原子の少なくとも一方から脱離し、前記接合膜の表面の前記領域に発現する接着性によって、前記有機半導体層と前記第２の可撓性フィルムとを接合していることを特徴とする有機発光装置。
【請求項３】
前記有機半導体層は、前記有機発光層の前記陰極側に、電子を輸送する機能を有する電子輸送層を備え、前記電子輸送層と前記第２の可撓性フィルムとが前記接合膜を介して接合されている請求項２に記載の有機発光装置。
【請求項４】
有機発光装置は、複数の前記有機発光素子を有し、
前記陰極は、複数の前記有機発光素子の共通電極である請求項１ないし３のいずれかに記載の有機発光装置。
【請求項５】
前記第１の可撓性フィルムの外周部と、前記第２の可撓性フィルムの外周部とは、前記接合膜と同様の接合膜で接合されている請求項１ないし４のいずれかに記載の有機発光装置。
【請求項６】
前記金属原子は、インジウム、スズ、亜鉛、チタン、およびアンチモンのうちの少なくとも１種である請求項１ないし５のいずれかに記載の有機発光装置。
【請求項７】
前記脱離基は、水素原子、炭素原子、窒素原子、リン原子、硫黄原子およびハロゲン原子、またはこれらの各原子で構成される原子団のうちの少なくとも１種である請求項１ないし６のいずれかに記載の有機発光装置。
【請求項８】
前記接合膜は、インジウムティンオキサイド（ＩＴＯ）、フッ素含有インジウムティンオキサイド（ＦＩＴＯ）、アンチモンティンオキサイド（ＡＴＯ）、インジウムジンクオキサイド（ＩＺＯ）、アルミニウムジンクオキサイド（ＡＺＯ）、酸化スズ（ＳｎＯ２）、酸化亜鉛（ＺｎＯ）、フッ素含有酸化スズ（ＦＴＯ）、フッ素含有インジウムオキサイド（ＦＩＯ）またはインジウムオキサイド（ＩＯ）に、脱離基として水素原子が導入されたものである請求項１ないし７のいずれかに記載の有機発光装置。
【請求項９】
前記接合膜中の金属原子と酸素原子の存在比は、３：７〜７：３である請求項１ないし８のいずれかに記載の有機発光装置。
【請求項１０】
前記接合膜は、その少なくとも表面付近に存在する前記脱離基が、当該接合膜から脱離した後に、活性手が生じる請求項１ないし９のいずれかに記載の有機発光装置。
【請求項１１】
前記活性手は、未結合手または水酸基である請求項１０に記載の有機発光装置。
【請求項１２】
前記接合膜の平均厚さは、１０〜３０００ｎｍである請求項１ないし１１のいずれかに記載の有機発光装置。
【請求項１３】
前記接合膜は、流動性を有さない固体状をなしている請求項１ないし１２のいずれかに記載の有機発光装置。
【請求項１４】
前記接合膜が接する少なくとも一方の面には、予め、前記接合膜との密着性を高める表面処理が施されている請求項１ないし１３のいずれかに記載の有機発光装置。
【請求項１５】
前記表面処理は、プラズマ処理である請求項１４に記載の有機発光装置。
【請求項１６】
前記第２の可撓性フィルムと前記接合膜との間に、中間層が介挿されている請求項１ないし１５のいずれかに記載の有機発光装置。
【請求項１７】
前記中間層は、酸化物系材料を主材料として構成されている請求項１６に記載の有機発光装置。
【請求項１８】
前記エネルギーの付与は、前記接合膜にエネルギー線を照射する方法、前記接合膜を加熱する方法、および前記接合膜に圧縮力を付与する方法のうちの少なくとも１つの方法により行われる請求項１ないし１７のいずれかに記載の有機発光装置。
【請求項１９】
前記エネルギー線は、波長１２６〜３００ｎｍの紫外線である請求項１８に記載の有機発光装置。
【請求項２０】
前記加熱の温度は、２５〜１５０℃である請求項１８または１９に記載の有機発光装置。
【請求項２１】
前記圧縮力は、０．２〜１０ＭＰａである請求項１８ないし２０のいずれかに記載の有機発光装置。
【請求項２２】
前記エネルギーの付与は、大気雰囲気中で行われる請求項１８ないし２１のいずれかに記載の有機発光装置。
【請求項２３】
可撓性を有する第１の可撓性フィルムおよび第２の可撓性フィルムと、
前記第１の可撓性フィルムと前記第２の可撓性フィルムとの間に設けられた少なくとも１つの有機発光素子とを有し、
前記有機発光素子は、前記第１の可撓性フィルム側に位置する陽極と、前記第２の可撓性フィルム側に位置する陰極と、前記陽極と前記陰極との間に位置し、有機発光材料で構成された有機発光層を有する有機半導体層とを備え、前記陽極と前記陰極との間に電圧を印加することにより、前記有機発光層が発光するものであり、
前記陰極と前記第２の可撓性フィルムとは、インジウムティンオキサイド（ＩＴＯ）、フッ素含有インジウムティンオキサイド（ＦＩＴＯ）、アンチモンティンオキサイド（ＡＴＯ）、インジウムジンクオキサイド（ＩＺＯ）、アルミニウムジンクオキサイド（ＡＺＯ）、酸化スズ（ＳｎＯ２）、酸化亜鉛（ＺｎＯ）、フッ素含有酸化スズ（ＦＴＯ）、フッ素含有インジウムオキサイド（ＦＩＯ）またはインジウムオキサイド（ＩＯ）に、水素原子が導入された接合膜を介して接合されていることを特徴とする有機発光装置。
【請求項２４】
可撓性を有する第１の可撓性フィルムおよび第２の可撓性フィルムと、
前記第１の可撓性フィルムと前記第２の可撓性フィルムとの間に設けられた少なくとも１つの有機発光素子とを有し、
前記有機発光素子は、前記第１の可撓性フィルム側に位置する陽極と、前記第２の可撓性フィルム側に位置する陰極と、前記陽極と前記陰極との間に位置し、有機発光材料で構成された有機発光層を有する有機半導体層とを備え、前記陽極と前記陰極との間に電圧を印加することにより、前記有機発光層が発光するものであり、
前記陰極は、導電性を有する接合膜で構成されており、
前記接合膜は、インジウムティンオキサイド（ＩＴＯ）、フッ素含有インジウムティンオキサイド（ＦＩＴＯ）、アンチモンティンオキサイド（ＡＴＯ）、インジウムジンクオキサイド（ＩＺＯ）、アルミニウムジンクオキサイド（ＡＺＯ）、酸化スズ（ＳｎＯ２）、酸化亜鉛（ＺｎＯ）、フッ素含有酸化スズ（ＦＴＯ）、フッ素含有インジウムオキサイド（ＦＩＯ）またはインジウムオキサイド（ＩＯ）に、水素原子が導入されたものであることを特徴とする有機発光装置。
【請求項２５】
請求項１ないし２４のいずれかに記載の有機発光装置を備えることを特徴とする電子機器
【手続補正２】
【補正対象書類名】明細書
【補正対象項目名】００２２
【補正方法】変更
【補正の内容】
【００２２】
本発明の有機発光装置では、前記エネルギーの付与は、大気雰囲気中で行われることが好ましい。
これにより、雰囲気を制御することに手間やコストをかける必要がなくなり、エネルギーの付与をより簡単に行うことができる。
本発明の有機発光装置は、可撓性を有する第１の可撓性フィルムおよび第２の可撓性フィルムと、
前記第１の可撓性フィルムと前記第２の可撓性フィルムとの間に設けられた少なくとも１つの有機発光素子とを有し、
前記有機発光素子は、前記第１の可撓性フィルム側に位置する陽極と、前記第２の可撓性フィルム側に位置する陰極と、前記陽極と前記陰極との間に位置し、有機発光材料で構成された有機発光層を有する有機半導体層とを備え、前記陽極と前記陰極との間に電圧を印加することにより、前記有機発光層が発光するものであり、
前記陰極と前記第２の可撓性フィルムとは、インジウムティンオキサイド（ＩＴＯ）、フッ素含有インジウムティンオキサイド（ＦＩＴＯ）、アンチモンティンオキサイド（ＡＴＯ）、インジウムジンクオキサイド（ＩＺＯ）、アルミニウムジンクオキサイド（ＡＺＯ）、酸化スズ（ＳｎＯ２）、酸化亜鉛（ＺｎＯ）、フッ素含有酸化スズ（ＦＴＯ）、フッ素含有インジウムオキサイド（ＦＩＯ）またはインジウムオキサイド（ＩＯ）に、水素原子が導入された接合膜を介して接合されていることを特徴とする。
本発明の有機発光装置は、可撓性を有する第１の可撓性フィルムおよび第２の可撓性フィルムと、
前記第１の可撓性フィルムと前記第２の可撓性フィルムとの間に設けられた少なくとも１つの有機発光素子とを有し、
前記有機発光素子は、前記第１の可撓性フィルム側に位置する陽極と、前記第２の可撓性フィルム側に位置する陰極と、前記陽極と前記陰極との間に位置し、有機発光材料で構成された有機発光層を有する有機半導体層とを備え、前記陽極と前記陰極との間に電圧を印加することにより、前記有機発光層が発光するものであり、
前記陰極は、導電性を有する接合膜で構成されており、
前記接合膜は、インジウムティンオキサイド（ＩＴＯ）、フッ素含有インジウムティンオキサイド（ＦＩＴＯ）、アンチモンティンオキサイド（ＡＴＯ）、インジウムジンクオキサイド（ＩＺＯ）、アルミニウムジンクオキサイド（ＡＺＯ）、酸化スズ（ＳｎＯ２）、酸化亜鉛（ＺｎＯ）、フッ素含有酸化スズ（ＦＴＯ）、フッ素含有インジウムオキサイド（ＦＩＯ）またはインジウムオキサイド（ＩＯ）に、水素原子が導入されたものであることを特徴とする。
本発明の電子機器は、本発明の有機発光装置を備えることを特徴とする。
これにより、信頼性の高い電子機器が得られる。